(57)【要約】【課題】型費を削減し少数生産にも適し且つ扉の強度も保持する屋外防水筺体を提供する。【解決手段】屋外筺体１の間口３を扉５で覆う屋外防水筺体において、屋外筺体１の間口３の全周囲に、ヨの字形状で且つヨの字形状の開いている方が外側に向いた溝の雨どい４を設け、ヨの字形状の扉５に近い方の溝に、平らな板で溝から外側へのはみだし部を有するパッキン８を配置し、扉５を構成する平らな板の全端面に立ち上がり部６を設け、扉５の立ち上がり部６の方を屋外筺体１に向かって閉めたとき、扉５の立ち上がり部６の内面とパッキン８のはみだし部を接触させることを特徴とする。【選択図】図２
2008082060.tif 000002
【特許請求の範囲】
【請求項１】
屋外筺体の間口を扉で覆う屋外防水筺体において、前記屋外筺体の間口の全周囲に、ヨの字形状で且つ該ヨの字形状の開いている方が外側に向いた溝の雨どいを設け、前記ヨの字形状の前記扉に近い方の溝に、平らな板で前記溝から外側へのはみだし部を有するパッキンを配置し、前記扉を構成する平らな板の全端面に立ち上がり部を設け、前記扉の前記立ち上がり部の方を前記屋外筺体に向かって閉めたとき、前記扉の前記立ち上がり部の内面と前記パッキンの前記はみだし部を接触させることを特徴とする屋外防水筺体。
【発明の詳細な説明】
【技術分野】
【０００１】
本発明は屋外防水筺体に関する。
【背景技術】
【０００２】
従来の屋外防水筺体の一例は、図７に示す外観図および図８に示す図７のＡ−Ａ断面図に示すように、屋外筺体１における本体２の中に出し入れする間口３の全周囲に雨どい４を設けるとともに、間口３を覆う扉５を構成する平らな板の全端面に立ち上がり部６を設け、雨どい４の外側に対向する扉５の内面に中空パッキン７を取り付けてなり、扉５の立ち上がり部６の方を本体２に向かって閉めたとき、中空パッキン７を雨どい４の外側に押し付けることで、防水構造を得ている。
【０００３】
また、従来の屋外防水筺体の他の例は、図５に示す外観図および図６に示す図５のＢ−Ｂ断面図に示すように、図７に示す外観図および図８に示す図７のＡ−Ａ断面図において示した中空パッキン７の代わりに単発砲の平らな板のパッキン８を扉５に取り付けてなり、扉５の立ち上がり部６の方を本体２に向かって閉めたとき、単発砲の平らな板のパッキン８を雨どい４の外側に押し付けることで、防水構造を得ている。
【０００４】
なお、上記従来の屋外防水筺体の一例、他の例は文献公知発明に係るものではない。
【発明の開示】
【発明が解決しようとする課題】
【０００５】
図７および図８に示す中空パッキン７は、大量生産のためほとんどの製品に使用されるが、専用型が必要であり、大量に生産しないと安価にならない。またコーナーのつなぎ目の処理に専用型を必要とする。
【０００６】
一方、図５および図６に示す単発砲の平らな板のパッキン８は、少量生産のため市販売のパッキンを使用するものであるが、均等に圧力をかけられず、締め付け力を必要とし、複数の締め付け箇所を必要とし、且つ扉を閉めたとき扉の変形が見受けられる。
【０００７】
本発明の目的は、型費を削減し少数生産にも適し且つ扉の強度も保持する屋外防水筺体を提供することにある。
【課題を解決するための手段】
【０００８】
本発明は、屋外筺体の間口を扉で覆う屋外防水筺体において、前記屋外筺体の間口の全周囲に、ヨの字形状で且つ該ヨの字形状の開いている方が外側に向いた溝の雨どいを設け、前記ヨの字形状の前記扉に近い方の溝に、平らな板で前記溝から外側へのはみだし部を有するパッキンを配置し、前記扉を構成する平らな板の全端面に立ち上がり部を設け、前記扉の前記立ち上がり部の方を前記屋外筺体に向かって閉めたとき、前記扉の前記立ち上がり部の内面と前記パッキンの前記はみだし部を接触させることを特徴とする。
【発明の効果】
【０００９】
本発明によれば、型費を削減し少数生産にも適し且つ扉の強度も保持する屋外防水筺体を得ることができる。
【発明を実施するための最良の形態】
【００１０】
本発明に係る実施の形態について、図１〜図４を用いて説明する。
【００１１】
図１は本発明による屋外防水筺体の外観図と扉の内面図である。図２は扉を開いた状態を示す図である。図３は図２のＣ−Ｃ断面図である。図４は図２のＣ−Ｃ断面図において、扉とパッキンの動作説明図である。
【００１２】
屋外筺体１は本体２の複数面に本体２の中に出し入れする間口３を設け、本体２の片方の端部に複数の分割蝶番９のうち片方の分割蝶番９を取り付ける。一方、扉５にはハンドル１０を備え、本体２と同じ方向に同じ間隔で同じ位置に分割したもう片方の分割蝶番９を取り付ける。このことで、扉５は、分割蝶番９を介して本体２に矢印１１に示すように前後に開閉できる構造となっている。
【００１３】
本体２の間口３の全周囲には、ヨの字形状で且つヨの字形状の開いている方が外側に向いた溝の雨どい４を設けている。このヨの字形状の溝のうち扉５に近い方の溝に、平らな板で溝から外側へのはみだし部を有するパッキン８を固定して配置している。
【００１４】
扉５は平らの板からなり、全端面に立ち上がり部６を設けていて、扉５の立ち上がり部６の方を本体２の矢印１２に向かって閉めたとき、扉５の立ち上がり部６の内面をパッキン８のはみだし部と接触させパッキン８のはみだし部を少したわませながら移動させて扉５を閉める。
【００１５】
また、扉５を閉じたとき、扉５と接触する雨どい４の最外周面に対向する扉５の位置に非金属による接触材１３を設けて、扉５を閉じたときの衝撃を和らげたり、雨どい４との接触による傷防止をする。
【００１６】
また、扉５の内面に、非金属による接触材１３を設ける際の位置だしのための突起部１４を設けることで、非金属による接触材１３を取り付けやすくする。たとえば、取り付けや接着する場合、突起部１４に合わせて作業を行えばよい。
【００１７】
本実施の形態では、市販売の単発砲の平らな板のパッキンを使用することで、少数生産に適しており、パッキンを中空にする専用型を不要とし、コーナーのつなぎ目の処理に専用型を必要としない。また単発砲の平らな板を扉でなく反対の本体側に設けることで、パッキンに均等に圧力をかけ、扉を締め付ける力を小さくでき、単数の締め付け箇所ですみ、且つ扉を閉めたときの扉の変形がない。
【図面の簡単な説明】
【００１８】
【図１】本発明による屋外防水筺体の外観図と扉の内面図である。
【図２】扉を開いた状態を示す図である。
【図３】図２のＣ−Ｃ断面図である。
【図４】図２のＣ−Ｃ断面図において、扉とパッキンの動作説明図である。
【図５】従来の屋外防水筺体の他の例で、扉を開いた状態を示す図である。
【図６】図５のＢ−Ｂ断面図である。
【図７】従来の屋外防水筺体の一例で、扉を開いた状態を示す図である。
【図８】図７のＡ−Ａ断面図である。
【符号の説明】
【００１９】
１：屋外筺体、２：本体、３：間口、４：雨どい、５：扉、６：立ち上がり部、７：中空パッキン、８：単発砲の平らな板のパッキン、９：分割蝶番、１０：ハンドル、１１，１２：矢印、１３：接触材、１４：突起部。
【図１】
2008082060.tif 000003
【図２】
2008082060.tif 000004
【図３】
2008082060.tif 000005
【図４】
2008082060.tif 000006
【図５】
2008082060.tif 000007
【図６】
2008082060.tif 000008
【図７】
2008082060.tif 000009
【図８】
2008082060.tif 000010